(57)【特許請求の範囲】
【請求項１】
ヒータの駆動あるいは停止期間を指定する所定の節電タイマ設定情報に基づいて、温水タンク、便座あるいは装置設置室内の暖房などに用いるヒータを所定制御周期内の所定制御期間だけ駆動または停止することにより、ヒータの消費電力を節電する衛生洗浄装置において、
ヒータを駆動制御する衛生洗浄装置の本体と、この本体の動作電源とは異なる電源で動作し、所定操作に応じて各種設定情報を本体に送信するリモコン操作部とを備え、
リモコン操作部は、
所定操作に応じて、予め入力された節電タイマ設定情報を送信するとともに、この後の所定送信期間ごとに前記節電タイマ設定情報を送信するリモコン制御部を有し、
本体は、
リモコン操作部からの節電タイマ設定情報を受信し、受信した節電タイマ設定情報に基づき、所定制御周期内の所定制御期間だけヒータ駆動を停止し、残りの期間にはヒータを駆動する本体制御部を有することを特徴とする衛生洗浄装置。
【請求項２】
請求項１記載の衛生洗浄装置において、
本体は、
給電停止時に記憶内容が保持される第１の記憶部と、給電停止時に記憶内容が保持されない第２の記憶部とを備え、
本体制御部は、
リモコン操作部からの節電タイマ設定情報の受信に応じて、節電タイマ動作中を示すタイマ情報を第１の記憶部に記憶するとともに、前記節電タイマ設定情報を第２の記憶部に記憶し、
給電開始時には、前記タイマ情報を参照し、前記タイマ情報が節電タイマ動作中を示す場合は、その後に受信した節電タイマ設定情報に基づき、所定制御周期内の所定制御期間だけヒータ駆動を停止し、前記タイマ情報が節電タイマ動作中を示さない場合は、ヒータを駆動することを特徴とする衛生洗浄装置。
【請求項３】
請求項１記載の衛生洗浄装置において、
本体は、
給電停止時に記憶内容が保持される第１の記憶部と、給電停止時に記憶内容が保持されない第２の記憶部とを備え、
本体制御部は、
リモコン操作部からの節電タイマ設定情報の受信に応じて、節電タイマ動作中を示すタイマ情報を第１の記憶部に記憶するとともに、前記節電タイマ設定情報を第２の記憶部に記憶し、
給電開始時には、前記タイマ情報を参照し、前記タイマ情報が節電タイマ動作中を示す場合はヒータの駆動を開始し、給電開始時からリモコン操作部の所定送信期間経過前に節電タイマ再設定情報が受信されない場合には、ヒータを駆動することを特徴とする衛生洗浄装置。
【請求項４】
請求項１〜３記載の衛生洗浄装置において、
リモコン制御部は、
所定のヒータ制御周期におけるヒータ制御期間長を示す節電タイマ設定情報を送信し、
本体制御部は、
受信した節電タイマ設定情報を参照して、この節電タイマ設定情報の通知から前記ヒータ制御周期を開始するとともに、このヒータ制御周期内の予め設定された時間位置から前記ヒータ制御期間長だけヒータ駆動を停止することを特徴とする衛生洗浄装置。
【発明の詳細な説明】
【０００１】
【発明の属する技術分野】
本発明は、衛生洗浄装置に関し、特に所定のタイマ設定情報に基づいて、温水タンクや便座などヒータ駆動を所定期間停止または駆動することによりヒータでの消費電力を節電する衛生洗浄装置に関するものである。
【０００２】
【従来の技術】
一般に、人体の局部に水または温水を吐水することにより、局部を洗浄する衛生洗浄装置では、利用頻度が少ない夜間や日中の所定期間だけ温水タンクや便座のヒータの駆動を停止することにより、消費電力を節電する節電タイマ機能を有している。
従来、このような節電タイマ動作を設定する場合、まず、その操作性の向上などから衛生洗浄装置の設置室内の壁面などに設置された、衛生洗浄装置の本体とは別体のリモコン操作部を操作して、ヒータ駆動をオン／オフする時刻を入力し、入力完了後、このタイマ設定情報をリモコン操作部から装置本体に送信する。
【０００３】
衛生洗浄装置本体は、リモコン操作部からのタイマ設定情報を受信し、そのタイマ設定情報で通知されたヒータ駆動をオン／オフする時刻をタイマ機能に設定する。
これにより、装置本体の時計機能が示す現在時刻と、ヒータ駆動をオン／オフする時刻とを比較し、その一致に応じて温水タンクや便座のヒータの駆動を開始し、あるいは停止するものとなっていた。
【０００４】
【発明が解決しようとする課題】
しかしながら、このような従来の衛生洗浄装置では、装置本体の時計機能が示す現在時刻と、ヒータ駆動をオン／オフする時刻とを比較し、その一致に応じて温水タンクや便座のヒータの駆動を制御するものであるため、停電などにより装置本体への電源供給が停止された場合には、そのタイマ設定情報も消失してしまうことから、再給電時に節電タイマ動作を実行できないという問題点があった。本発明はこのような課題を解決するためのものであり、停電などにより節電タイマ設定情報が消失した場合でも、以前に設定された節電タイマ動作を実行できる衛生洗浄装置を提供することを目的としている。
【０００５】
【課題を解決するための手段】
このような目的を達成するために、本発明による衛生洗浄装置は、請求項１の発明は、ヒータを駆動制御する衛生洗浄装置の本体の動作電源とは異なる電源で動作し、所定操作に応じて各種設定情報を本体に送信するリモコン操作部を備え、リモコン操作部は、所定操作に応じて、予め入力された節電タイマ設定情報を送信するとともに、この後の所定送信期間ごとに節電タイマ設定情報を送信するリモコン制御部を有し、本体は、リモコン操作部からの節電タイマ設定情報を受信し、受信した節電タイマ設定情報に基づき、所定制御周期内の所定制御期間だけヒータ駆動を停止し、残りの期間にはヒータを駆動する本体制御部を有するものである。
したがって、リモコン操作部から、所定操作に応じて、予め入力された節電タイマ設定情報が送信されるとともに、この後の所定送信期間ごとに節電タイマ設定情報が送信される。また、本体では、受信された節電タイマ設定情報に基づき、所定制御周期内の所定制御期間だけヒータ駆動が停止され、残りの期間にはヒータが駆動される。
【０００６】
また、請求項２の発明は、請求項１記載の衛生洗浄装置において、本体に、給電停止時に記憶内容が保持される第１の記憶部と、給電停止時に記憶内容が保持されない第２の記憶部とを設けて、本体制御部は、リモコン操作部からの節電タイマ設定情報の受信に応じて、節電タイマ動作中を示すタイマ情報を第１の記憶部に記憶するとともに、節電タイマ設定情報を第２の記憶部に記憶し、給電開始時には、タイマ情報を参照し、タイマ情報が節電タイマ動作中を示す場合は、その後に受信した節電タイマ設定情報に基づき、所定制御周期内の所定制御期間だけヒータ駆動を停止し、タイマ情報が節電タイマ動作中を示さない場合は、ヒータを駆動するようにしたものである。
したがって、リモコン操作部からの節電タイマ設定情報の受信に応じて、節電タイマ動作中を示すタイマ情報が第１の記憶部に記憶されるとともに、節電タイマ設定情報が第２の記憶部に記憶され、給電開始時には、タイマ情報が参照され、そのタイマ情報が節電タイマ動作中を示す場合は、その後に受信した節電タイマ設定情報に基づき、所定制御周期内の所定制御期間だけヒータ駆動が停止され、タイマ情報が節電タイマ動作中を示さない場合は、継続的にヒータが駆動される。
【０００７】
また、請求項３の発明は、請求項１記載の衛生洗浄装置において、本体に、給電停止時に記憶内容が保持される第１の記憶部と、給電停止時に記憶内容が保持されない第２の記憶部とを設けて、本体制御部は、リモコン操作部からの節電タイマ設定情報の受信に応じて、節電タイマ動作中を示すタイマ情報を第１の記憶部に記憶するとともに、節電タイマ設定情報を第２の記憶部に記憶し、給電開始時には、タイマ情報を参照し、タイマ情報が節電タイマ動作中を示す場合はヒータの駆動を開始し、給電開始時からリモコン操作部の所定送信期間経過前に節電タイマ再設定情報が受信されない場合には、ヒータを駆動するようにしたものである。
したがって、給電開始時には、タイマ情報が節電タイマ動作中を示す場合はヒータの駆動が開始され、給電開始時から所定送信期間経過前に節電タイマ再設定情報が受信されない場合には、継続的にヒータが駆動される。
【０００８】
また、請求項４の発明は、請求項１〜３記載の衛生洗浄装置において、リモコン制御部は、所定のヒータ制御周期におけるヒータ制御期間長を示す節電タイマ設定情報を送信し、本体制御部は、受信した節電タイマ設定情報を参照して、この節電タイマ設定情報の通知からヒータ制御周期を開始するとともに、このヒータ制御周期内の予め設定された時間位置からヒータ制御期間長だけヒータ駆動を停止するようにしたものである。したがって、リモコン操作部から、所定のヒータ制御周期におけるヒータ制御期間長を示す節電タイマ設定情報が送信され、本体では、受信された節電タイマ設定情報に基づいて、節電タイマ設定情報の通知からヒータ制御周期が開始されるとともに、ヒータ制御周期内の予め設定された時間位置からヒータ制御期間長だけヒータ駆動が停止される。
【０００９】
【発明の実施の形態】
次に、本発明について図面を参照して説明する。
図１は本発明の一実施の形態である衛生洗浄装置のブロック図であり、同図において、１は衛生洗浄装置の本体、１０はその操作性の向上などから衛生洗浄装置の設置室内の壁面などに設置された、衛生洗浄装置の本体とは別体のリモコン操作部であり、リモコン操作部１０から各種設定信号１７が遠赤外光などにより送信され、これが本体で受信されてその動作が制御される。
【００１０】
本体１において、２はリモコン操作部１０から送信された各種設定信号１７を受信する受信部、３は衛生洗浄装置本体１の各部の動作を制御するＣＰＵ（本体制御部）、４Ａは温水タンクの温水ヒータ４Ｂを駆動する温水ヒータ駆動部、５Ａは便座を暖める便座ヒータ５Ｂを駆動する便座ヒータ駆動部、６Ａは衛生洗浄装置の設置室内を暖める室暖ヒータ６Ｂを駆動する室暖ヒータ駆動部、７は各種洗浄動作や各ヒータの駆動を指示する操作部、９は本体１の各部に電源を供給する電源部である。
【００１１】
また、８Ａは本体１の給電停止時に備えて本体１の動作状態を記憶しておくＥＥＰＲＯＭ（不揮発性メモリ：第１の記憶手段）である。例えば、節電タイマ動作のための節電タイマ設定情報が予約されているか否かを示すタイマ情報として「予約あり／予約なし」が記憶され、給電停止時でもその内容が保持される。
また、８ＢはＣＰＵ３の制御に用いる各種制御情報を記憶するメモリ（揮発性メモリ：第２の記憶手段）であり、例えば、リモコン操作部１０から後述する節電タイマ設定信号または節電タイマ再設定信号により通知された節電タイマ設定情報が記憶される。
【００１２】
リモコン操作部１０において、１１は本体１の各種操作や各種設定値を入力するためのスイッチ部、１２はスイッチ部１１による操作入力に応じて所定の設定情報を生成し所定操作あるいは２４時間ごとに出力するＣＰＵ（リモコン制御部）であり、節電タイマ動作に用いる節電タイマ設定情報などを生成して出力する。
１３はスイッチ部１１から入力された情報を表示するＬＣＤなどの表示部である。
【００１３】
また、１４はＣＰＵ１２の制御に用いる各種情報を記憶するメモリであり、節電タイマ送信モードなどのリモコン操作部１０自体の動作モードや、生成した節電タイマ設定情報などを記憶する。
１５はＣＰＵ１５で生成された各種設定情報を設定信号１７として送信する送信部、１６はリモコン操作部１０の各部に、常時、電源を供給する電池であり、本体１の電源部９から供給される電源とは異なる電源により、本体１での給電停止時でもリモコン操作部１０を動作させる。
【００１４】
次に、図を参照して、本発明の動作として、温水ヒータまたは便座ヒータを節電タイマ動作させる場合の処理手順を例に説明する。
図２はリモコン操作部のＣＰＵの節電タイマ設定処理手順を示すフローチャートであり、以下、リモコン操作部の処理動作について説明する。
温水ヒータまたは便座ヒータを節電タイマ動作させる場合、利用者は、リモコン操作部１０のスイッチ部１１に設けられた節電タイマスイッチを操作して、所定の節電タイマ設定信号を本体１に送信する。
【００１５】
以下の説明では、ヒータ制御周期、例えば２４時間のうちの停止させる期間の時間長、例えば６時間を、節電タイマ設定情報としてリモコン操作部１０から通知し、本体１ではこの節電タイマ設定情報を受信した時刻から、その節電タイマ設定情報で指定された期間だけ、例えば６時間だけヒータを停止させるものとする。
なお、停止させる期間の開始時刻および終了時刻を設定し、節電タイマスイッチの操作に応じて所定の節電タイマ設定信号を本体１に送信するようにしても良い。
【００１６】
リモコン操作部１０のＣＰＵ１５は、各種処理の１つとして間欠的に図２に示す節電タイマ設定処理を実行する。
まず、ＣＰＵ１５は、スイッチ部１１の節電タイマスイッチがオンされたか否か確認する（ステップ２０）。
節電タイマスイッチのオン確認された場合には（ステップ２０：ＹＥＳ）、予め設定入力されメモリ１４に記憶されているヒータ制御期間長ここではヒータ停止期間長、例えば６時間とから、所定の節電タイマ設定情報を生成してメモリ１４に記憶する。
【００１７】
続いて、生成した節電タイマ設定情報を送信部１５に出力し、送信部１５から本体１に対し節電タイマ設定信号として送信する（ステップ２１）。
その後、節電タイマ送信モード用の２４時間タイマをスタートさせ（ステップ２２）、メモリ１４を更新することにより、自己の動作モードを通常モードから節電タイマ送信モードへ切り替え設定し（ステップ２３）、処理を終了する。
【００１８】
なお、節電タイマ送信モードとは、予め設定された内容の節電タイマ設定情報を節電タイマ再設定信号として、リモコン操作部１０から本体１に対して、所定時間ごと、例えば２４時間ごとに自動再送信する動作モードである。
したがって、リモコン操作部１０では、最初に節電タイマ設定信号を送信した後、自動的に節電タイマ送信モードとなり、所定時間ごと、例えば２４時間ごとに節電タイマ設定信号がリモコン操作部１０から本体１へ繰り返し自動再送信される。
【００１９】
一方、ステップ２０において、節電タイマスイッチのオンが確認されなかった場合（ステップ２０：ＮＯ）、メモリ１４を参照して、自己の動作モードとして節電タイマ送信モードが設定されているか否か判断する（ステップ２４）。
ここで、節電タイマ送信モードが設定されていない場合には（ステップ２４：ＮＯ）、処理を終了する。
【００２０】
また、自己の動作モードとして節電タイマ送信モードが設定されている場合には（ステップ２４：ＹＥＳ）、２４時間タイマのタイムアウトを確認することにより、直前に節電タイマ設定信号を送信してから２４時間経過したか否か判断し（ステップ２５）、２４時間タイマがタイムアウトしておらず、直前送信から２４時間経過していない場合には（ステップ２５：ＮＯ）、処理を終了する。
【００２１】
一方、２４時間タイマがタイムアウトしており、直前に節電タイマ設定信号を送信してから２４時間経過している場合には（ステップ２５：ＹＥＳ）、先に送信したものと同一の節電タイマ設定信号を送信部１５に出力し、本体１に対して送信する（ステップ２６）。
その後、２４時間タイマを再びスタートして（ステップ２７）、処理を終了する。
【００２２】
なお、複数のヒータのいずれかを選択して節電タイマ動作させる場合には、節電タイマ設定情報に、制御対象ヒータを示す識別情報を格納して本体１に通知するようにしてもよい。
【００２３】
次に、図を参照して、本体のＣＰＵの処理動作について説明する。
図３は本体のＣＰＵの給電開始時の処理動作を示すフローチャートである。
まず、衛生洗浄装置への給電開始または給電再開に応じて、本体１の電源部９から電源供給が開始された場合、ＣＰＵ３は、ＥＥＰＲＯＭ８Ａから電源供給停止前の動作状態などを示す各種情報とともに、タイマ情報を読み出す（ステップ３０）。
【００２４】
このＥＥＰＲＯＭ８Ａには、電源供給停止前の本体１の各種動作状態として、例えば節電タイマ動作のためのタイマ設定内容が予約されていた否かを示すタイマ情報として「予約あり／予約なし」が記憶されている。
なお、ＥＥＰＲＯＭ８には、タイマ情報として節電タイマ動作のためのタイマ設定内容の予約有無のみが記憶されている。
【００２５】
また、詳細な節電タイマ動作の設定内容、すなわちヒータ停止期間などを示す節電タイマ設定情報は、揮発性のメモリ８Ｂに記憶される。
したがって、停電などにより本体１の電源部９からの電源供給が停止された場合、メモリ８Ｂ内のタイマ設定内容は消失し、ＥＥＰＲＯＭ８Ａに記憶されたタイマ情報のみが保持される。
【００２６】
続いて、ＣＰＵ３は、ＥＥＰＲＯＭ８Ａから読み出したタイマ情報が「予約あり」を示すか否か判断し（ステップ３１）、「予約あり」の場合には（ステップ３１：ＹＥＳ）、後述する節電タイマ動作モードの自動解除動作に備え、リモコン操作部１０の節電タイマ送信モード用の２４時間タイマよりもわずかに長い期間（２４＋ｔ時間）を計時する２４＋ｔ時間タイマをスタートする（ステップ３２）。
その後、およびステップ３１にてタイマ情報が「予約あり」ではなかった場合（ステップ３１：ＮＯ）、給電開始時処理を終了する。
【００２７】
続いて、本体１のＣＰＵ３は、受信部２を介してリモコン操作部１０から設定信号１７を受信した場合、図４に示す節電タイマ設定信号受信処理を実行する。図４は、本体のＣＰＵの節電タイマ設定信号受信処理動作を示すフローチャートである。
まず、受信した設定信号１７が節電タイマ設定信号であるか否か判断し（ステップ４０）、節電タイマ設定信号である場合には（ステップ４０：ＹＥＳ）、ＥＥＰＲＯＭ８Ａにタイマ情報として「予約あり」を書き込む（ステップ４１）。
【００２８】
続いて、受信した節電タイマ設定信号で通知された節電タイマ設定情報をメモリ８Ｂに書き込み（ステップ４２）、節電タイマ動作モード自動解除用の２４＋ｔ時間タイマを停止して、ヒータ制御周期用の２４時間タイマをスタートするとともに（ステップ４３Ａ）、メモリ８Ｂに記憶した節電タイマ設定情報からヒータ停止期間、例えば６時間を読み出して、ヒータ停止期間の終了を計時するための６時間タイマをスタートして（ステップ４３Ｂ）、処理を終了する。
【００２９】
これにより、リモコン操作部１０から節電タイマ設定信号を受信した場合、本体１のＣＰＵ３は、その節電タイマ設定信号で通知された節電タイマ設定情報に基づいて、直ちにヒータの節電タイマ動作を開始する。
ここでは、ヒータ制御周期（２４時間）の最初にヒータ停止期間（６時間）を設けた場合を例にしているが、異なるタイマを用いて、予め設定された他の時間位置でヒータ停止期間を実行してもよく、この時間位置を節電タイマ設定情報としてリモコン操作部１０から設定可能としてもよい。
【００３０】
一方、ステップ４０において、受信した設定信号１７が節電タイマ設定信号ではない場合には（ステップ４０：ＮＯ）、受信された設定信号１７が節電タイマ再設定信号か否か判断する（ステップ４４）。
ここで、受信した設定信号１７が節電タイマ再設定信号である場合には（ステップ４４：ＹＥＳ）、タイマ情報が「予約あり」か否か判断する（ステップ４５）。
【００３１】
タイマ情報が「予約あり」の場合には（ステップ４５：ＹＥＳ）、さらにメモリ８Ｂを参照して、節電タイマ設定情報が消失している（異常）か否か判断する（ステップ４６）。
消失している場合には（ステップ４６：ＹＥＳ）、受信した節電タイマ再設定信号で通知された節電タイマ設定情報をメモリ８Ｂに書き込み（ステップ４７）、節電タイマ動作モード自動解除用の２４＋ｔ時間タイマを停止し、ヒータ制御周期用の２４時間ヒータをスタートするとともに（ステップ：４８Ａ）、ヒータ停止期間用の６時間タイマをスタートし（ステップ４８Ｂ）、処理を終了する。
【００３２】
これにより、リモコン操作部１０から節電タイマ再設定信号を受信した場合、本体１のＣＰＵ３は、タイマ情報が「予約あり」であって、かつ節電タイマ設定内容が消失している場合にのみ、ヒータ制御周期用の２４時間ヒータおよびヒータ停止期間用の６時間タイマをスタートする。
したがって、給電停止前に節電タイマ動作モードで動作しており、一旦停電した後、再給電された場合には、リモコン操作部１０からの節電タイマ再設定信号の受信に応じて、その節電タイマ設定情報に基づいてヒータの節電タイマ動作が再開される。
【００３３】
なお、ステップ４４において、受信された設定信号１７が節電タイマ再設定信号でないと判断された場合（ステップ４４：ＮＯ）には、いずれのタイマをもスタートさせることなく、処理を終了する。
これにより、節電タイマ設定信号、および節電タイマ再設定信号以外の設定信号が受信された場合、節電タイマに関する処理は実行されない。
【００３４】
また、ステップ４５においてタイマ情報が「予約あり」でない場合（ステップ４５：ＮＯ）、すなわち節電タイマ動作モードではない場合には、節電タイマ再設定信号をキャンセルし、いずれのタイマをもスタートさせることなく処理を終了する。
また、ステップ４６においてタイマ設定内容が消失していない場合（ステップ４６：ＮＯ）、すなわち節電タイマ動作モードで正常動作している場合には、節電タイマ再設定信号をキャンセルし、いずれのタイマをもスタートさせることなく、処理を終了する。
【００３５】
続いて、本体１のＣＰＵ３は、タイマ情報が「予約あり」を示す場合、すなわち節電タイマ動作モードである場合、各種処理の１つとして間欠的に図５に示す節電タイマ処理を実行する。
図５は、本体のＣＰＵの節電タイマ処理動作を示すフローチャートである。
まず、メモリ８Ｂを参照して、タイマ設定内容が正常であるか否か判断する（ステップ５０）。
【００３６】
ここで、タイマ設定内容が正常である場合には（ステップ５０：ＹＥＳ）、ヒータ制御周期用の２４時間タイマがタイムアウトしたか否か判断する（ステップ５１）。
２４時間タイマがタイムアウトしていない場合には（ステップ５１：ＮＯ）、さらにヒータ停止期間用の６時間タイマがタイムアウトしたか否か判断する（ステップ５２）。
【００３７】
ここで、６時間タイマがタイムアウトしていない場合には（ステップ５２：ＮＯ）、ヒータ停止期間（節電期間）であると判断して、ヒータへの通電を停止し（ステップ５３）、処理を終了する。
また、ステップ５２において、６時間タイマがタイムアウトしている場合には（ステップ５２：ＹＥＳ）、ヒータ停止期間が終了したと判断してヒータへ通電し、温水温度あるいは周囲温度に基づいたヒータ温度制御を行い（ステップ５４）、処理を終了する。
【００３８】
また、ステップ５１において、２４時間タイマがタイムアウトしている場合には（ステップ５１：ＹＥＳ）、ヒータ制御周期が１周期分終了したと判断して、ヒータへの通電を停止する（ステップ５５Ａ）。
続いて、次の１周期分のために、ヒータ制御周期用の２４時間ヒータを再スタートするとともに（ステップ：５５Ｂ）、ヒータ停止期間用の６時間タイマを再スタートし（ステップ５５Ｃ）、処理を終了する。
【００３９】
また、ステップ５０において、メモリ８Ｂ内の節電タイマ設定情報が正常でない場合には（ステップ５０：ＮＯ）、節電タイマ動作モード自動解除用の２４＋ｔ時間タイマがタイムアウトしたか否か判断する（ステップ５６）。
ここで、２４＋ｔ時間タイマがタイムアウトしていない場合には（ステップ５６：ＮＯ）、ヒータへ通電し、温水温度あるいは周囲温度に基づいたヒータ温度制御を行い（ステップ５７）、処理を終了する。
【００４０】
これにより、節電タイマ動作モードではあるが、再給電後に、リモコン操作部１０からの節電タイマ設定信号あるいは節電タイマ再設定信号がまだ受信されていない場合には、再給電開始から２４＋ｔ時間まで、通常時のヒータ温度制御が行われる。
【００４１】
一方、ステップに５６おいて、２４＋ｔ時間タイマがタイムアウトしている場合には（ステップ５６：ＹＥＳ）、ヒータへの通電を停止して（ステップ５８）、ＥＥＰＲＯＭ８Ａのタイマ情報「予約あり」を消去し（ステップ５９）、処理を終了する。
したがって、再給電時、ＥＥＰＲＯＭ８Ａにタイマ情報「予約あり」が記憶されているにもかかわらず、再給電時から２４＋ｔ時間経過しても、リモコン操作部１０から節電タイマ設定信号または節電タイマ再設定信号が受信されない場合には、節電タイマ動作モードが自動的に解除されるものとなる。
【００４２】
なお、本体１の再給電時、ＥＥＰＲＯＭ８Ａにタイマ情報「予約あり」が記憶されていない場合には、給電停止前では節電タイマ動作が実施されていなかったものと判断される。
したがって、前述の節電タイマ処理動作（図５参照）は実行されず、継続的にヒータが駆動され、給電停止前の状態が維持される。
【００４３】
以上の説明において、温水ヒータや便座ヒータを例として、リモコン操作部１０に設定入力される節電タイマ設定情報で、ヒータ制御周期内のヒータ制御期間として、所定ヒータの駆動を停止する期間を設定するようにした場合について説明したが、これに限定されるものではなく、例えば、ヒータ制御期間として所定ヒータを駆動する期間を設定するようにしてもよい。
これにより、例えば、衛生洗浄装置の設置室内等を暖房する室暖ヒータなど、所定時間だけヒータを駆動するように設定することができ、節電タイマ動作を実行するヒータの使用法に応じた設定方法が可能となる。
【００４４】
【実施例】
次に、図６を参照して、本発明の一実施例について説明する。
図６は、本発明の一実施例による停電時の節電タイマ動作を示すタイミングチャートであり、（ａ）は再給電後に節電タイマ再設定信号が受信された場合、（ｂ）は再給電後に節電タイマ再設定信号が受信されなかった場合を示している。
【００４５】
同図において、Ｔ０〜Ｔ４は一連の節電タイマ動作における各時刻を示している。
また、６１はリモコン操作部１０のスイッチ部１１に設けられている節電タイマスイッチの操作、６２はリモコン操作部１０の節電タイマ送信モードの状態（オン／オフ）、６３はリモコン操作部１０から送信される節電タイマ設定信号および節電タイマ再設定信号の送信タイミングを示している。
【００４６】
また、６４は本体１の電源部９から供給される電源供給状態（オン／オフ）、６５は本体１のＥＥＰＲＯＭ８Ａ内に記憶されているタイマ情報の状態（「予約あり／予約なし」）、６６は本体１のメモリ８Ｂに記憶されている節電タイマ設定情報の状態（正常／異常）、６７は本体１の所定ヒータに対して実施されるヒータ温度制御の有無（オン／オフ）を示している。
【００４７】
まず、図６（ａ）を参照して、再給電後に節電タイマ再設定信号が受信された場合の動作について説明する。
時刻Ｔ０にリモコン操作部１０の節電タイマスイッチ６１が押下された場合、リモコン操作部１０のＣＰＵ１２は、前述した節電タイマ設定処理動作（図２参照）に基づいて、予めメモリ１４に設定されているヒータ停止期間などの節電タイマ設定情報を節電タイマ設定信号６３により送信する。
【００４８】
さらに、ＣＰＵ１２は、節電タイマ送信モード６２を有効（オン）にする。
これにより、以降、ＣＰＵ１２は時刻Ｔ０から２４時間ごと、すなわち時刻Ｔ１〜Ｔ４ごとに、メモリ１４に設定されている節電タイマ設定情報が、節電タイマ再設定信号により、本体１に送信される。
【００４９】
一方、本体１には時刻Ｔ０以前において電源部９から本体電源６４が供給されているものとする。
また、時刻Ｔ０直前には、ＥＥＰＲＯＭ８Ａのタイマ情報６５が「予約なし」を示しており、節電タイマ動作が実行されておらず、ヒータ温度制御６７が連続して実行されているものとする。
【００５０】
このような状態で、本体１のＣＰＵ３は、リモコン操作部１０からの節電タイマ設定信号を時刻Ｔ０に受信する。
そして、前述の節電タイマ設定信号受信処理動作（図４参照）により、ＥＥＰＯＭ８Ａのタイマ情報６５を「予約あり」とするとともに、その節電タイマ設定信号で通知された節電タイマ設定情報６６をメモリ８Ｂに書き込み（正常）、この節電タイマ設定情報基づいて、ヒータ制御周期用の２４時間タイマとヒータ停止期間用の６時間タイマをスタートさせる。
【００５１】
これに応じて、ＣＰＵ３は、節電タイマ処理動作（図５参照）により、２４時間のヒータ制御周期の最初の６時間をヒータ停止期間として、ヒータへの通電を停止してヒータ温度制御６７を停止する。
その後、時刻Ｔ０から６時間後に、ヒータ停止期間用の６時間タイマがタイムアウトすることから、ＣＰＵ３は、ヒータ停止期間終了と判断して、ヒータ温度制御６７を再開する。
【００５２】
また、時刻Ｔ０から２４時間経過後の時刻Ｔ１に、リモコン操作部１０から節電タイマ再設定信号が送信される。
これに応じて、本体１のＣＰＵ３は、前述と同様に節電タイマ設定信号受信処理動作を実行するが、タイマ予約情報が「予約あり」を示し、かつ節電タイマ設定情報が「正常」であることから、節電タイマ動作中と判断して、この節電タイマ再設定信号をキャンセルする。
【００５３】
また、ＣＰＵ３は、節電タイマ処理動作により、時刻Ｔ１において、ヒータ制御周期用の２４時間タイマのタイムアウトを確認し、再度、２４時間タイマと６時間タイマをスタートさせ、前述と同様にヒータ温度制御６７を停止する。
その後、時刻Ｔ０から６時間後に、ヒータ停止期間用の６時間タイマがタイムアウトすることから、ＣＰＵ３は、ヒータ停止期間終了と判断して、ヒータ温度制御６７を再開する。
【００５４】
ここで、時刻Ｔ１の２４時間後の時刻Ｔ２の前の時刻Ｔ１１に、本体１の電源部９から供給される本体電源６４が、停電などにより供給停止され、時刻Ｔ２の後の時刻Ｔ１２に本体電源６４が再給電されたものとする。
本体１のＣＰＵ３は、時刻Ｔ１２での再給電に応じて、前述の給電開始時処理動作（図３参照）により、ＥＥＰＲＯＭ８Ａからタイマ情報６５として「予約あり」を読み出し、節電タイマ動作モード自動解除用の２４＋ｔ時間タイマをスタートする。
【００５５】
ＣＰＵ３は、節電タイマ処理動作により、タイマ情報６５が「予約あり」を示すことから、ヒータ温度制御を開始する。
なお、時刻Ｔ２に、リモコン操作部１０から節電タイマ再設定信号が送信されるが、本体１が停電状態にあることから、受信されない。
その後、時刻Ｔ２から２４時間後の時刻Ｔ３に、リモコン操作部１０から再び節電タイマ再設定信号が送信される。
【００５６】
ＣＰＵ３は、これを受信し、節電タイマ設定信号受信処理動作により、タイマ情報６５が「予約あり」を示し、メモリ８Ｂの節電タイマ設定情報が消失（異常）していることから、この節電タイマ再設定信号で通知された節電タイマ設定情報６６をメモリ８Ｂに書き込み（正常）、この節電タイマ設定情報に基づいて、ヒータ制御周期用の２４時間タイマとヒータ停止期間用の６時間タイマをスタートさせる。
【００５７】
これに応じて、ＣＰＵ３は、節電タイマ処理動作により、２４時間のヒータ制御周期の最初の６時間だけ、ヒータ温度制御６７を停止し、ヒータ停止期間終了に応じて、ヒータ温度制御６７を再開する。
また、時刻Ｔ３から２４時間後のＴ４では、前述の時刻Ｔ１と同様の動作状態であり、リモコン操作部１０からの節電タイマ再設定信号はキャンセルされるが、２４時間タイマのタイムアウトにより、同様の節電タイマ動作が繰り返し実行される。
【００５８】
次に、図６（ｂ）を参照して、再給電後に節電タイマ再設定信号が受信されなかった場合について説明する。
なお、時刻Ｔ１２以前の動作については、前述した図６（ａ）と同様であり、ここでの説明は省略する。
本体１のＣＰＵ３は、時刻Ｔ１２での再給電に応じて、前述の給電開始時処理動作により、ＥＥＰＲＯＭ８Ａからタイマ情報６５として「予約あり」を読み出し、節電タイマ動作モード自動解除用の２４＋ｔ時間タイマをスタートする。
【００５９】
ＣＰＵ３は、節電タイマ処理動作により、タイマ情報６５が「予約あり」を示すことから、ヒータ温度制御を開始する。
その後、時刻Ｔ２から２４時間後の時刻Ｔ３に、リモコン操作部１０から再び節電タイマ再設定信号が送信されるはずであるが、何らかの原因で本体１が受信できなかったものとする。
したがって、ＣＰＵ３は、時刻Ｔ３以降の時刻Ｔ１３において、節電タイマ動作モード自動解除用の２４＋ｔ時間タイマのタイムアウトに応じて、ヒータ温度制御６７が継続されるものとなり、通常のヒータ温度制御が実行されて、常時、温水による吐水や便座の保温などが実施される。
【００６０】
【発明の効果】
以上説明したように、本発明による請求項１の発明は、ヒータを駆動制御する衛生洗浄装置の本体の動作電源とは異なる電源で動作し、所定操作に応じて各種設定情報を本体に送信するリモコン操作部を設けて、このリモコン操作部から、所定操作に応じて、予め入力された節電タイマ設定情報を送信するとともに、この後の所定送信期間ごとに節電タイマ設定情報を送信し、本体では、受信した節電タイマ設定情報に基づき、所定制御周期内の所定制御期間だけヒータ駆動を停止し、残りの期間にはヒータを駆動するようにしたものである。
したがって、従来のように、衛生洗浄装置の本体で節電タイマ設定情報を保持する場合と比較して、停電などにより装置本体への電源供給が停止され、タイマ設定情報が消失した場合でも、リモコン操作部から再通知された節電タイマ設定情報に基づき、以前に設定された節電タイマ動作を実行できる。
【００６１】
また、請求項２の発明は、請求項１記載の衛生洗浄装置において、給電停止時に記憶内容が保持される第１の記憶部と、給電停止時に記憶内容が保持されない第２の記憶部とを本体に設けて、リモコン操作部からの節電タイマ設定情報の受信に応じて、節電タイマ動作中を示すタイマ情報を第１の記憶部に記憶するとともに、節電タイマ設定情報を第２の記憶部に記憶し、給電開始時には、タイマ情報を参照し、タイマ情報が節電タイマ動作中を示す場合は、その後に受信した節電タイマ設定情報に基づき、所定制御周期内の所定制御期間だけヒータ駆動を停止し、タイマ情報が節電タイマ動作中を示さない場合は、ヒータ駆動を停止するようにしたものである。
したがって、本体への再給電開始時には、給電停止前の動作状態に基づいてヒータ制御が行われるものとなり、特に給電停止前に節電タイマ動作中であった場合には、給電停止前と全く同一の節電タイマ動作が実行されるとともに、給電停止前に節電タイマ動作されていない場合には、継続的なヒータ駆動により通常のヒータ温度制御が実行されて、常時、温水による吐水や便座の保温などが実施される。
また、本体の第１の記憶部では節電タイマ動作中か否かを示すタイマ情報のみを保持するようにしたので、節電タイマ設定情報をすべて記憶する場合と比較して、第１の記憶部として用いられる比較的高価な不揮発性メモリの容量を低減できるとともに、第２の記憶部をバックアップする電池が不要となり、コストダウンが計れる。
【００６２】
また、請求項３の発明は、請求項１記載の衛生洗浄装置において、給電停止時に記憶内容が保持される第１の記憶部と、給電停止時に記憶内容が保持されない第２の記憶部とを本体に設けて、リモコン操作部からの節電タイマ設定情報の受信に応じて、節電タイマ動作中を示すタイマ情報を第１の記憶部に記憶するとともに、節電タイマ設定情報を第２の記憶部に記憶し、給電開始時には、タイマ情報を参照し、タイマ情報が節電タイマ動作中を示す場合はヒータの駆動を開始し、給電開始時からリモコン操作部の所定送信期間経過前に節電タイマ再設定情報が受信されない場合には、ヒータ駆動を停止するようにしたので、給電停止前に節電タイマ動作中であった場合にもかかわらず、何らかの原因でリモコン操作部からの節電タイマ再設定情報が受信されない場合には、継続的なヒータ駆動により通常のヒータ温度制御が実行されて、常時、温水による吐水や便座の保温などが実施される。
【００６３】
また、請求項４の発明は、請求項１〜３記載の衛生洗浄装置において、リモコン制御部から、所定のヒータ制御周期におけるヒータ制御期間長を示す節電タイマ設定情報を送信し、本体制御部では、受信した節電タイマ設定情報を参照して、この節電タイマ設定情報の通知からヒータ制御周期を開始するとともに、このヒータ制御周期内の予め設定された時間位置からヒータ制御期間長だけヒータ駆動を停止するようにしたので、節電タイマ設定情報として時刻情報を用いる場合と比較して、ヒータ制御期間の期間長だけを指示するだけで済み、節電タイマ設定時の操作を簡略化できるとともに、本体に時計手段とその動作をバックアップする電池を設ける必要がなくなり、コストダウンが計れる。
【図面の簡単な説明】
【図１】  本発明の一実施の形態による衛生洗浄装置のブロック図である。
【図２】  リモコン操作部の節電タイマ設定処理手順を示すフローチャートである。
【図３】  本体の給電開始時の処理動作を示すフローチャートである。
【図４】  本体の節電タイマ設定信号受信処理動作を示すフローチャートである。
【図５】  本体の節電タイマ処理動作を示すフローチャートである。
【図６】  本発明の一実施例による停電時の節電タイマ動作を示すタイミングチャートである。
【符号の説明】
１…本体、２…受信部、３…ＣＰＵ、４Ａ…温水ヒータ駆動部、４Ｂ…温水ヒータ、５Ａ…便座ヒータ駆動部、５Ｂ…便座ヒータ、６Ａ…室暖ヒータ駆動部、６Ｂ…室暖ヒータ、７…操作部、８Ａ…ＥＥＰＲＯＭ、８Ｂ…メモリ、９…電源部、１０…リモコン操作部、１１…スイッチ部、１２…ＣＰＵ、１３…表示部、１４…メモリ、１５…送信部、１６…電池、１７…設定信号。
【図１】
0003641099.tif 000002
【図２】
0003641099.tif 000003
【図３】
0003641099.tif 000004
【図４】
0003641099.tif 000005
【図５】
0003641099.tif 000006
【図６】
0003641099.tif 000007